(57)【要約】【課題】  本発明は、外部装置と有線通信及び無線通信が可能なカメラにおいて、各々の通信状態を使用者に解かり易く表示することを目的とする。【解決手段】  本発明は、被写体の光学像を電気信号に変換する撮像手段と、外部装置との間で無線および有線通信によるデータの送受信を行う通信手段と、外部装置との間での通信状態を監視する通信状態監視手段と、該通信状態監視手段からの信号を表示する通信状態表示手段とを備え、前記外部装置との間で、無線による通信と有線による通信状態、もしくはその両方の状態とにより、表示を異ならせる。特に表示色を切り替える。また、通信開始時、通信中、通信終了時等で表示を切り替える。【選択図】  図３
2007036981.tif 000002
【特許請求の範囲】
【請求項１】
被写体の光学像を電気信号に変換する撮像手段と、外部装置との間で無線および有線通信によるデータの送受信を行う通信手段と、外部装置との間での通信状態を監視する通信状態監視手段と、該通信状態監視手段からの信号を表示する通信状態表示手段とを備え、前記外部装置との間で、無線による通信と有線による通信状態とにより、表示を異ならせることを特徴とする通信機能を備えたカメラ。
【請求項２】
撮影条件を切り替えるモ−ド切り替え手段を備え、前記外部装置との間での通信状態表示を該モ−ド切り替え手段のモ−ド切り替え動作に連動して開始することを特徴とする請求項１記載の通信機能を備えたカメラ。
【請求項３】
被写体の光学像を電気信号に変換する撮像手段と、外部装置との間で無線または有線通信によるデータの送受信を行う通信手段と、外部装置との間での通信状態を監視する通信状態監視手段と、該通信状態監視手段からの信号を表示する通信状態表示手段とを備え、前記外部装置との間での通信状態のうち、通信開始前と通信中、および通信終了とで、表示を異ならせることを特徴とする通信機能を備えたカメラ。
【請求項４】
被写体の光学像を電気信号に変換する撮像手段と、外部装置との間で無線および有線通信によるデータの送受信を行う通信手段と、外部装置との間での通信状態を監視する通信状態監視手段と、該通信状態監視手段からの信号を表示する通信状態表示手段とを備え、前記外部装置との間で、無線通信から有線通信への切り替え途中、または有線通信から無線通信への切り替え途中は、前記有線のみまたは無線のみの通信とは、更に異なる表示をすることを特徴とする請求項１記載の通信機能を備えたカメラ。
【請求項５】
被写体の光学像を電気信号に変換する撮像手段と、外部装置との間で無線および有線通信によるデータの送受信を行う通信手段と、外部装置との間での通信状態を監視する通信状態監視手段と、該通信状態監視手段からの信号を表示する通信状態表示手段とを備え、前記外部装置との間で、無線通信と有線通信との同時通信中は、前記有線のみまたは無線のみの通信での表示とは異なる表示をすることを特徴とする請求項１記載の通信機能を備えたカメラ。
【請求項６】
被写体の光学像を電気信号に変換する撮像手段と、外部装置との間で無線および有線通信によるデータの送受信を行う通信手段と、外部装置との間での通信状態を監視する通信状態監視手段と、該通信状態監視手段からの信号を表示する通信状態表示手段とを備え、前記外部装置との間で、無線通信と有線通信との同時通信中は、前記有線のみまたは無線のみの通信での表示を交互に行う表示をすることを特徴とする請求項５記載の通信機能を備えたカメラ。
【発明の詳細な説明】
【技術分野】
【０００１】
本発明は、外部装置と有線通信及び無線通信が可能なカメラにおいて、その通信状態を使用者に解かり易くするためのカメラの表示に関する。
【背景技術】
【０００２】
従来、複数の通信手段を備えた装置の表示切り替え方法としては、以下のようなものがある。
【０００３】
特許文献１記載の発明では、モデム内蔵のデ−タ通信装置における通信状態の表示方法として１個の発光素子の点滅間隔または点灯時間を制御している。これにより、少ない素子数で複数パタ−ンの表示が可能となり、コスト削減とデザインの自由度を増している。
【０００４】
特許文献２記載の発明では、電波と赤外線による通信方式の通信状態により、異なる表示を行うものである。これにより、効率的なデ−タ伝送、エラ−処理を行うことができ、エラ−発生時のリトライや通信方法をユ−ザに合わせて選択可能とすることができるようになる。
【０００５】
特許文献３記載の発明では、無線ネットワ−ク内でユ−ザ−が所望のネットワ−クに組み込まれているかどうかを、複数の色のＬＥＤの点滅パタ−ンにより知らせるという技術が開示されている。
【特許文献１】特開平5-75672号公報
【特許文献２】特開平9-265582号公報
【特許文献３】特開平2003-134131号公報
【発明の開示】
【発明が解決しようとする課題】
【０００６】
前記特許文献１記載の発明では、通信状態を少ない表示用素子であるＬＥＤで賄い、コストダウンおよびデザインの自由度を向上させることを目的としている。然しながら、事前の知識を有しない使用者がＬＥＤの点灯、点滅状態を観察しても、それが何を意味するのか理解するのは難しい。
【０００７】
特許文献２または特許文献３記載の発明では、無線通信中の通信エラ−や無線ＬＡＮ構築状態を確認するための表示方法に限定されている。
【０００８】
本発明は、外部装置と有線通信及び無線通信が可能なカメラにおいて、その通信状態または有線による通信か、または無線による通信なのかを使用者に解かり易くすることを目的とする。
【課題を解決するための手段】
【０００９】
本発明は、被写体の光学像を電気信号に変換する撮像手段と、外部装置との間で無線および有線通信によるデータの送受信を行う通信手段と、外部装置との間での通信状態を監視する通信状態監視手段と、該通信状態監視手段からの信号を表示する通信状態表示手段とを備え、前記外部装置との間で、無線による通信と有線による通信状態、もしくはその両方の状態とにより、表示を異ならせることを特徴とする。特に表示色を切り替えることを特徴としている。
【００１０】
また、通信開始時、通信中、通信終了時等で表示を切り替えることを特徴としている。
【発明の効果】
【００１１】
本発明の構成を取ることにより、以下のような効果がある。
【００１２】
請求項１記載の発明によれば、有線および無線通信が可能なカメラで、有線通信中と無線通信中とで表示を切り替える、特に表示の色を変えることで、現在の通信状態を使用者に直感的に解かり易くすることができ、有線通信中にケ−ブルを誤って抜いてしまったりする誤操作をしないようにすることができる。また、通信が正常に行われているかどうかを確認することが可能となる。
【００１３】
請求項２記載の発明によれば、モ−ド切り替え手段を搭載したカメラにおいて、前記表示の切り替えを該モ−ド切り替え手段の操作に連動して開始するため、カメラの使用者が実際にカメラを操作し始めたときに表示が切り替わり、カメラの使用者との意思一致率を向上させることができる。
【００１４】
請求項３記載の発明によれば、前記外部装置との間での通信状態のうち、通信開始前と通信中、および通信終了とで、表示を異ならせているため、カメラの使用者に現在のカメラの通信状態がどうなっているのかを理解しやすくすることができる。
【００１５】
請求項５記載の発明によれば、前記外部装置との間で、無線通信と有線通信との同時通信中は、前記有線のみまたは無線のみの通信での表示とは異なる表示をしているため、現在の通信が有線通信なのか無線通信なのかを瞬時に理解できるようになり、カメラの利用者の利便性が向上する。
【００１６】
請求項６記載の発明によれば、前記外部装置との間で、無線通信と有線通信との同時通信中は、前記有線のみまたは無線のみの通信での表示を交互に行う表示をするため、表示自体の設置スペ−スを小さくすることができ、カメラのデザイン上の自由度が増すと共に小型化に寄与することができる。
【発明を実施するための最良の形態】
【００１７】
（実施例１）
図１は本発明の第１の実施例に係る機構概念図であり、図２は図１中のカメラの背面図、図３はシステムブロック図である。図４は本発明の第１の実施例に係るフロ−チャ−トである。
【００１８】
同図において同じ番号を付記したものは同じ部材を表す。
【００１９】
以下順を追って説明する。１は本発明を搭載させたカメラ。２は被写体からの光を後述のＣＣＤセンサ３に導くための撮影レンズ。３は被写体の光学像を電気信号に変換する撮像手段である所のＣＣＤセンサ。４は種種の表示、もしくは前記撮像手段である所のＣＣＤセンサ３からの画像情報を表示する表示手段である所の液晶表示器（以下ＬＣＤと記す）。５は後述の外部装置と画像もしくは命令信号を送受信するための有線の接続を行うためのケ−ブルジャクであり、後述のＣＰＵに対し電気的に接続されている。６は前記ケ−ブルジャック５と同様に、外部装置と画像もしくは命令信号を送受信するための無線通信を行うための通信手段である送受信部。７は前記送受信部６の無線信号を送受信するためのアンテナである。図では外部に突出せしめているが、カメラ内部に包括されていても本発明の実施態様に変更はない。８は前記カメラのケ−ブルジャック５と電気的に接続されるケ−ブルである。９は前記外部装置の一つである有線接続外部装置であり、前記ケ−ブル８によりカメラと接続されている。該有線接続外部装置は、例えばプリンタやパソコン、画像等を記憶するための記憶装置、撮影開始動作を行わせるケ−ブルリモコン等の装置である。10は前記有線接続外部装置９と同様の無線接続外部装置である。11は無線接続外部装置の送受信部であり12はそのアンテナである。無線接続外部装置10は無線によりカメラ１とデ−タの送受信が可能である。21は種々の撮影条件を切り替えるための撮影モ−ド切り替え手段であるモ−ドダイアルである。22は発光部であり、既知のＬＥＤを複数配置され、発光部の色を変えられるようにしている。
【００２０】
前記ジャックおよびケ−ブル８とで有線通信手段を構成し、前記送受信部６とアンテナ７とで無線通信手段を構成している。また、前記液晶表示器４または発光部22は表示手段105を構成する一部である。106はカメラ１内に配置され、前記通信手段101および102、通信状態監視手段104、表示手段105等に電気的に接続された中央処理装置であるＣＰＵである。
【００２１】
上記構成において、本発明のカメラは、外部装置とのデ−タの通信が無線および有線通信で可能であり、有線及び無線通信の同時通信も可能である。
【００２２】
以下、図４のフロ−チャ−トに基づいて本発明の第１の実施例について説明する。フロ−チャ−トに付記した番号201から207までは各々プログラムステップを表している。
【００２３】
201：カメラの主電源が不図示の電源スイッチによりＯＮされたかどうかを判断する。
【００２４】
202：前記種々の撮影条件を切り替えるモ−ド切り替え手段であるモ−ドダイアルが操作されたかどうかを判断する。ここで、説明を簡略化するため。カメラの使用者が外部装置9または10の不図示の電源スイッチをＯＮして、ケ−ブル８を接続完了し通信待機状態としているとする。
【００２５】
203：前記通信状態監視手段104により、前記有線通信手段101が作動したかどうかを判断する。
【００２６】
204：前記無線通信手段102が使用されているかどうかを判断し、使用されていなければ有線通信が行われていると判断し、207へ進み前記ＬＥＤ22を青色に点灯させる。
【００２７】
205：前記有線通信手段が101が使用されているかどうかを判断し、使用されていなければ無線通信が行われていると判断し、208へ進み前記ＬＥＤ22を赤色に点灯させる。そうでなければ、有線通信および無線通信とが同時に使用されていると判断し206へ進み、前記ＬＥＤ22を赤色と青色との交互点灯または点滅に切り替える。
【００２８】
209：通信が終了したかどうかを判断し、終了していれば210へと進みＬＥＤを消灯する。
【００２９】
本実施例では、ＬＥＤの色を変更して、無線通信と有線通信との区別を行い表示をしているが、例えばＬＣＤ内に文字列として「通信中」なる文字を表示し、その文字自体の色を変更しても、本実施例の態様に変更はない。
【００３０】
上記構成とすることにより、カメラの通信状態が無線による通信中なのか有線による通信中なのかが、使用者に直感的に理解しやすくなる。
【００３１】
（実施例２）
本発明のカメラに係る、第２の実施例を図５のフロ−チャ−トにより説明する。
【００３２】
機構およびそのレイアウトは、前記第１の実施例に係る図１から３と同様で変更はない。但しＬＥＤ22は複数の色での発光が可能なように構成されている。即ち色の異なるＬＥＤを拡散性のある半透明の窓部の下に複数は位置するか、複数のＬＥＤの点灯、非点灯を適宜切り替えて色の変更を行うものである。
【００３３】
以下フロ−チャ−トに添って順に説明する。
【００３４】
301：前記第１の実施例における201と同様にカメラの主電源が不図示の電源スイッチによりＯＮされたかどうかを判断する。
【００３５】
302：前記通信状態監視手段104により、前記有線通信手段101により有線通信が開始されたかどうかを判断する。開始されていれば304へ進みＬＥＤを青く点灯させる。
【００３６】
303：前記通信状態監視手段104により、前記無線通信手段102により有線通信が開始されたかどうかを判断する。開始されていれば305へ進みＬＥＤを赤く点灯させる。
【００３７】
307：有線及び無線通信とを同時に起動させる場合、または、無線通信の通信状態に応じて適宜無線と有線通信とを切り替える場合、前記通信状態監視手段104により無線通信から有線通信へもしくは有線通信から無線通信へ切り替わったかどうかを判断し、切り替わりの途中であると判断した場合には310へと進みＬＥＤを黄色く点灯する。
【００３８】
308：前記無線通信中の無線電波状況により、通信の継続が困難なほど電波状態が悪化しているかどうかを判断し、電波状況が良くなくＬＡＮの構築が困難と判断された場合には311へと進み電波状況が良好な場合のＬＥＤの赤色点灯から赤色点滅へと切り替える。
【００３９】
309：前記有線または無線通信によるデ−タの送受信が完了しているかを前記通信状態監視手段104により判断し終了していれば前記ＬＥＤ22を消灯する。
【００４０】
上記構成とすることにより、有線または無線通信が開始されているのか、また、無線通信による無線電波状態は良好なのかどうか、デ−タの送受信が完了したのかどうかが直感的にカメラの使用者にわかりやすくなるという利点がある。
【００４１】
（産業上の利用可能性）
本発明は、無線通信もしくは有線通信により外部機器と接続し、デ−タの送受信を行うカメラの表示方法に関する。
【図面の簡単な説明】
【００４２】
【図１】本発明の第１の実施例に係る機構概念図
【図２】図１中のカメラの背面図
【図３】本発明の第１の実施例に係るシステムブロック図
【図４】本発明の第１の実施例に係るフロ−チャ−ト
【図５】本発明の第２の実施例に係るフロ−チャ−ト
【符号の説明】
【００４３】
１  カメラ
２  撮影レンズ
３  ＣＣＤセンサ
４  液晶表示装置
５  ケ−ブルジャク
６  送受信部
７  アンテナ
８  ケ−ブル
９  有線接続外部装置
10  無線接続外部装置
11  送受信部
12  アンテナ
21  モ−ドダイアル
22  発光部
【図１】
2007036981.tif 000003
【図２】
2007036981.tif 000004
【図３】
2007036981.tif 000005
【図４】
2007036981.tif 000006
【図５】
2007036981.tif 000007